(57)【要約】【課題】新規システムと既存システムが混在して利用される場合に、バックワードコンパチビィリティを確保しつつ、新規システムからのパケット信号を受信した既存システムの復調器が実際のパケットが送信されている時間を適切に判断する。【解決手段】従来設定されている以上の高速な伝送速度を示す伝送速度情報が入力された場合には、従来の設定されている伝送速度情報の形式を用いて入力された伝送速度情報に応じて伝送速度の増加分だけデータ長が短くなるようにデータ量に補正を行う。従来設定されていた以上の高速な伝送速度であることを示す信号を受信した場合には、送信側で行った補正と逆の補正を行い正しいデータ量の設定値を出力する。【選択図】  図１
2004248186.tif 000002
【特許請求の範囲】
【請求項１】
伝送速度情報が入力され伝送速度の設定を行う伝送速度設定手段と、
パケットにて送信されるデータ量情報が入力されデータ量の設定を行うデータ量設定手段と、
前記伝送速度設定手段の出力信号と前記データ量設定手段の出力信号とが入力され、受信側でデータ長を算出するための制御情報を生成する制御信号設定手段と、
入力データの生成を行うデータ部生成手段と、
前記制御信号設定手段の出力信号と前記データ部生成手段の出力信号とが入力され、データ信号と制御情報との対応関係が受信側で判別できるように入出力順番の制御が行われる入出力信号制御手段と、
前記入出力信号制御手段の出力信号が入力され変調が行われる変調手段と
を有するパケット信号送信回路において、
前記伝送速度設定手段は、従来設定されている以上の高速な伝送速度を示す伝送速度情報が入力された場合には、補正値設定手段へ伝送速度情報を出力し、前記制御信号設定手段へは従来の設定されている伝送速度情報の形式を用いて伝送速度の設定を行う手段を備え、
前記補正値設定手段は、データ量情報と前記伝送速度設定手段から出力された伝送速度情報とが入力され、入力された伝送速度情報に応じて伝送速度の増加分だけデータ長が短くなるようにデータ量に補正を行う手段を備え、
前記データ量設定手段は、前記補正値設定手段の出力信号が入力された場合には、この値を用いてデータ量設定を行う手段を備えたことを特徴とするパケット信号送信回路。
【請求項２】
伝送速度情報が入力され伝送速度の設定を行う伝送速度設定手段と、
パケットにて送信されるデータ量情報が入力されデータ量の設定を行う第一のデータ量設定手段と、
前記伝送速度設定手段の出力信号と前記データ量設定手段の出力信号とが入力され、受信側でデータ長を算出するための制御情報を生成する制御信号設定手段と、
入力データの生成を行うデータ部生成手段と、
前記制御信号設定手段の出力信号と前記データ部生成手段の出力信号とが入力され、データ信号と制御情報との対応関係が受信側で判別できるように入出力順番の制御が行われる入出力信号制御手段と、
前記入出力信号制御手段の出力信号が入力され変調が行われる変調手段と
を有するパケット信号送信回路において、
前記伝送速度設定手段は、従来設定されている以上の高速な伝送速度を示す伝送速度情報が入力された場合には、補正値設定手段へ伝送速度情報を出力し、前記制御信号設定手段へは従来の設定されている伝送速度情報の形式を用いて伝送速度の設定を行う手段を備え、
前記補正値設定手段は、データ量情報と前記伝送速度設定手段から出力された伝送速度情報とが入力され、入力された伝送速度情報に応じて伝送速度の増加分だけデータ長が短くなるようにデータ量に補正を行う手段を備え、
前記補正値設定手段の出力信号が入力された場合には、この値を用いてデータ量設定を行う第二のデータ量設定手段を備えたことを特徴とするパケット信号送信回路。
【請求項３】
受信パケット信号が入力され受信パケット信号の復調を行う復調手段と、
前記復調手段から出力される復調信号が入力され制御情報と復調データとの対応関係が保存されるように入出力順番の制御が行われる入出力信号制御手段と、
前記入出力信号制御手段から出力される復調パケットのデータ識別を行うデータ部識別手段と、
前記入出力信号制御手段から別途出力される制御情報が入力され当該制御情報の識別を行う制御信号識別手段と、
前記制御信号識別手段から出力されるデータ量の設定値が入力されデータ量情報を識別して出力するデータ量識別手段と、
前記制御信号識別手段から別途出力される伝送速度の設定値が入力され、伝送速度情報を出力する伝送速度識別手段と
を有するパケット信号受信回路において、
前記制御信号識別手段は、従来設定されていた以上の高速な伝送速度であることを示す信号を受信した場合には、データ量の補正を行う制御信号を出力する手段を備え、
前記制御信号識別手段からデータ量を補正する制御信号および伝送速度の設定値およびデータ量の設定値が入力され、送信側で行った補正と逆の補正を行い正しいデータ量の設定値を出力する補正値識別手段を備え、
前記データ量識別手段は、前記補正値識別手段の出力信号が入力された場合には、この値を用いて受信パケットのデータ量情報の識別を行う手段を備えたことを特徴とするパケット信号受信回路。
【請求項４】
受信パケット信号が入力され受信パケット信号の復調を行う復調手段と、
前記復調手段から出力される復調信号が入力され制御情報と復調データとの対応関係が保存されるように入出力順番の制御が行われる入出力信号制御手段と、前記入出力信号制御手段から出力される復調パケットのデータ識別を行うデータ部識別手段と、
前記入出力信号制御手段から別途出力される制御情報が入力され当該制御情報の識別を行う制御信号識別手段と、
前記制御信号識別手段から出力されるデータ量の設定値が入力されデータ量情報を識別して出力する第一のデータ量識別手段と、
前記制御信号識別手段から別途出力される伝送速度の設定値が入力され、伝送速度情報を出力する伝送速度識別手段と
を有するパケット信号受信回路において、
前記制御信号識別手段は、従来設定されていた以上の高速な伝送速度であることを示す信号を受信した場合には、データ量の補正を行う制御信号を出力する手段を備え、
前記制御信号識別手段からデータ量を補正する制御信号および伝送速度の設定値およびデータ量の設定値が入力され、送信側で行った補正と逆の補正を行い正しいデータ量の設定値を出力する補正値識別手段と、
前記補正値識別手段の出力信号が入力された場合には、この値を用いて受信パケットのデータ量情報の識別を行う第二のデータ量識別手段とを備えたことを特徴とするパケット信号受信回路。
【請求項５】
受信パケット信号が入力され受信パケット信号の復調を行う復調手段と、
前記復調手段から出力される復調信号が入力され制御情報と復調データとの対応関係が保存されるように入出力順番の制御が行われる入出力信号制御手段と、
前記入出力信号制御手段から出力される復調パケットのデータ識別を行うデータ部識別手段と、
前記入出力信号制御手段から別途出力される制御情報が入力され当該制御情報の識別を行う制御信号識別手段と、
前記制御信号識別手段から出力されるデータ量の設定値が入力されデータ量情報を識別して出力するデータ量識別手段と、
前記制御信号識別手段から別途出力される伝送速度の設定値が入力され、伝送速度情報を出力する伝送速度識別手段と
を有するパケット信号受信回路において、
前記復調手段は、従来設定されていた以上の高速な伝送速度であることを示す信号を受信した場合には、データ量の補正を行う制御信号を出力する手段を備え、
前記復調手段からデータ量を補正する制御信号が入力され、前記制御信号識別手段から伝送速度の設定値およびデータ量の設定値が入力され、送信側で行った補正と逆の補正を行い正しいデータ量の設定値を出力する補正値識別手段を備え、
前記データ量識別手段は、前記補正値識別手段の出力信号が入力された場合には、この値を用いて受信パケットのデータ量情報の識別を行う手段を備えたことを特徴とするパケット信号受信回路。
【請求項６】
受信パケット信号が入力され受信パケット信号の復調を行う復調手段と、
前記復調手段から出力される復調信号が入力され制御情報と復調データとの対応関係が保存されるように入出力順番の制御が行われる入出力信号制御手段と、
前記入出力信号制御手段から出力される復調パケットのデータ識別を行うデータ部識別手段と、
前記入出力信号制御手段から別途出力される制御情報が入力され当該制御情報の識別を行う制御信号識別手段と、
前記制御信号識別手段から出力されるデータ量の設定値が入力されデータ量情報を識別して出力する第一のデータ量識別手段と、
前記制御信号識別手段から別途出力される伝送速度の設定値が入力され、伝送速度情報を出力する伝送速度識別手段と
を有するパケット信号受信回路において、
前記復調手段は、従来設定されていた以上の高速な伝送速度であることを示す信号を受信した場合には、データ量の補正を行う制御信号を出力する手段を備え、
前記復調手段からデータ量を補正する制御信号が入力され、前記制御信号識別手段から伝送速度の設定値およびデータ量の設定値が入力され、送信側で行った補正と逆の補正を行い正しいデータ量の設定値を出力する補正値識別手段と、
前記補正値識別手段の出力信号が入力された場合には、この値を用いて受信パケットのデータ量情報の識別を行う第二のデータ量識別手段とを備えたことを特徴とするパケット信号受信回路。
【請求項７】
受信パケット信号が入力され受信パケット信号の復調を行う復調手段と、
前記復調手段から出力される復調信号が入力され制御情報と復調データとの対応関係が保存されるように入出力順番の制御が行われる入出力信号制御手段と、
前記入出力信号制御手段から出力される復調パケットのデータ識別を行うデータ部識別手段と、
前記入出力信号制御手段から別途出力される制御情報が入力され当該制御情報の識別を行う制御信号識別手段と、
前記制御信号識別手段から出力されるデータ量の設定値が入力されデータ量情報を識別して出力するデータ量識別手段と、
前記制御信号識別手段から別途出力される伝送速度の設定値が入力され、伝送速度情報を出力する伝送速度識別手段と
を有するパケット信号受信回路において、
前記制御信号識別手段は、従来設定されていた以上の高速な伝送速度であることを示す信号を受信した場合には、データ量の補正を行う第一の制御信号を出力する手段を備え、
前記復調手段は、従来設定されていた以上の高速な伝送速度であることを示す信号を受信した場合には、データ量の補正を行う第二の制御信号を出力する手段を備え、
前記制御信号識別手段からデータ量を補正する第一の制御信号および伝送速度の設定値およびデータ量の設定値が入力され、別途、前記復調手段からデータ量を補正する第二の制御信号が入力され、これらの信号を用いて送信側で行った補正と逆の補正を行い正しいデータ量の設定値を出力する補正値識別手段を備え、
前記データ量識別手段は、前記補正値識別手段の出力信号が入力された場合には、この値を用いて受信パケットのデータ量情報の識別を行う手段を備えたことを特徴とするパケット信号受信回路。
【請求項８】
受信パケット信号が入力され受信パケット信号の復調を行う復調手段と、
前記復調手段から出力される復調信号が入力され制御情報と復調データとの対応関係が保存されるように入出力順番の制御が行われる入出力信号制御手段と、前記入出力信号制御手段から出力される復調パケットのデータ識別を行うデータ部識別手段と、
前記入出力信号制御手段から別途出力される制御情報が入力され当該制御情報の識別を行う制御信号識別手段と、
前記制御信号識別手段から出力されるデータ量の設定値が入力されデータ量情報を識別して出力する第一のデータ量識別手段と、
前記制御信号識別手段から別途出力される伝送速度の設定値が入力され、伝送速度情報を出力する伝送速度識別手段とを有するパケット信号受信回路において、
前記制御信号識別手段は、従来設定されていた以上の高速な伝送速度であることを示す信号を受信した場合には、データ量の補正を行う第一の制御信号を出力する手段を備え、
前記復調手段は、従来設定されていた以上の高速な伝送速度であることを示す信号を受信した場合には、データ量の補正を行う第二の制御信号を出力する手段を備え、
前記制御信号識別手段からデータ量を補正する第一の制御信号および伝送速度の設定値およびデータ量の設定値が入力され、別途、前記復調手段からデータ量を補正する第二の制御信号が入力され、これらの信号を用いて送信側で行った補正と逆の補正を行い正しいデータ量の設定値を出力する補正値識別手段と、
前記補正値識別手段の出力信号が入力された場合には、この値を用いて受信パケットのデータ量情報の識別を行う第二のデータ量識別手段とを備えたことを特徴とするパケット信号受信回路。
【請求項９】
受信パケット信号が入力され受信パケット信号の復調を行う復調手段と、
前記復調手段から出力される復調信号が入力され制御情報と復調データとの対応関係が保存されるように入出力順番の制御が行われる入出力信号制御手段と、前記入出力信号制御手段から出力される復調パケットのデータ識別を行うデータ部識別手段と、
前記入出力信号制御手段から別途出力される制御情報が入力され当該制御情報の識別を行う制御信号識別手段と、
前記制御信号識別手段から出力されるデータ量の設定値が入力されデータ量情報を識別して出力するデータ量識別手段と、
前記制御信号識別手段から別途出力される伝送速度の設定値が入力され、伝送速度情報を出力する伝送速度識別手段とを有するパケット信号受信回路において、
前記制御信号識別手段は、従来設定されていた以上の高速な伝送速度であることを示す信号を受信した場合には、データ量の補正を行う第一の制御信号を出力する手段を備え、
前記復調手段は、従来設定されていた以上の高速な伝送速度であることを示す信号を受信した場合には、データ量の補正を行う第二の制御信号を出力する手段を備え、
前記制御信号識別手段からデータ量を補正する第一の制御信号および伝送速度の設定値およびデータ量の設定値が入力され、別途、前記復調手段からデータ量を補正する第二の制御信号が入力され、少なくとも前記第一または第二の制御信号のいずれかを用いて送信側で行った補正と逆の補正を行い正しいデータ量の設定値を出力する補正値識別手段を備え、
前記データ量識別手段は、前記補正値識別手段の出力信号が入力された場合には、この値を用いて受信パケットのデータ量情報の識別を行う手段を備えたことを特徴とするパケット信号受信回路。
【請求項１０】
受信パケット信号が入力され受信パケット信号の復調を行う復調手段と、
前記復調手段から出力される復調信号が入力され制御情報と復調データとの対応関係が保存されるように入出力順番の制御が行われる入出力信号制御手段と、
前記入出力信号制御手段から出力される復調パケットのデータ識別を行うデータ部識別手段と、
前記入出力信号制御手段から別途出力される制御情報が入力され当該制御情報の識別を行う制御信号識別手段と、
前記制御信号識別手段から出力されるデータ量の設定値が入力されデータ量情報を識別して出力する第一のデータ量識別手段と、
前記制御信号識別手段から別途出力される伝送速度の設定値が入力され、伝送速度情報を出力する伝送速度識別手段と
を有するパケット信号受信回路において、
前記制御信号識別手段は、従来設定されていた以上の高速な伝送速度であることを示す信号を受信した場合には、データ量の補正を行う第一の制御信号を出力する手段を備え、
前記復調手段は、従来設定されていた以上の高速な伝送速度であることを示す信号を受信した場合には、データ量の補正を行う第二の制御信号を出力する手段を備え、
前記制御信号識別手段からデータ量を補正する第一の制御信号および伝送速度の設定値およびデータ量の設定値が入力され、別途、前記復調手段からデータ量を補正する第二の制御信号が入力され、少なくとも前記第一または第二の制御信号のいずれかを用いて送信側で行った補正と逆の補正を行い正しいデータ量の設定値を出力する補正値識別手段と、
前記補正値識別手段の出力信号が入力された場合には、この値を用いて受信パケットのデータ量情報の識別を行う第二のデータ量識別手段とを備えたことを特徴とするパケット信号受信回路。
【発明の詳細な説明】
【０００１】
【発明の属する技術分野】
本発明はディジタル通信システムにおいて信号の送受信を行う送信回路および受信回路に関する。特に、パケット信号にて通信を行う送信回路および受信回路に関する。
【０００２】
【従来の技術】
パケット通信方式は、データを連続的に送信する方式ではなく、パケットと呼ばれる単位に分割して送信を行う通信方式である。特に、有線、無線を問わずＬＡＮ等のデータ通信においての利用が盛んである。このパケット通信においては、パケット毎に情報を閉じて送信することが可能であり、集中制御の必要が無い自律分散システムでの使用に適用する。
【０００３】
しかし、この場合には送信されるパケット信号自身の情報を受信回路において識別する必要があるために、パケット毎に自分のパケットの情報を加えた制御部をデータ部の前に付加して送信を行う形態が望ましい。無線ＬＡＮにおいてもこのパケット毎に情報が閉じた形でのパケット通信が用いられている。例えば、ＩＥＥＥ８０２．１１委員会では、ＩＥＥＥ８０２．１１ａ規格（例えば、非特許文献１参照）として、マルチキャリア変調方式を用いて無線パケット通信方式が実用化されている。
【０００４】
通常、ＬＡＮでは通信環境に応じて複数の伝送速度を切替えて使用するため、受信側ではどの伝送速度を用いて送信がなされているのか判断する必要がある。また、そのパケットで送信がなされるデータ量がパケットに記述されている。このためパケットを復調する際に、上記の伝送速度の情報と受信パケットのデータ量とを用いてデータ長を算出することが可能になる。これらの制御部の伝送速度の記述形式は一意に規定されており、制御部のフォーマットも規定されている。したがって、受信器では、まず制御部の制御情報を復調して、これらのデータ長を利用することでパケットを用いた効率的なデータ伝送を行う。特に、上記のＩＥＥＥ８０２．１１ａ無線ＬＡＮではＣＳＭＡ／ＣＡ（Ｃａｒｒｉｅｒ  Ｓｅｎｓｅ  Ｍｕｌｔｉｐｌｅ  Ａｃｃｅｓｓ／Ｃｏｌｌｉｓｉｏｎ  Ａｖｏｉｄａｎｃｅ）をアクセス方式に適用している。このＣＳＭＡ／ＣＡでは、キャリアセンスを行い、他局の信号が存在しない場合にのみ送信を行うことができる。したがって、スループットを向上させ効率よく送信を行うためには、衝突を回避する必要がある。そのために自局が送信できない場合にもチャネルの状態を監視している。また、この動作を確実に行うために物理的なキャリアセンス機能の他に、パケットの制御部を復調し、そのパケットの制御部に記述された伝送速度とデータ量とを読み込んで、そのデータ長を判断してそのパケットの終了時間を算出する機能が有効である。
【０００５】
従来のパケット信号送信回路および受信回路（例えば、非特許文献１参照）を図１６および図１７にそれぞれ示す。また、説明のために図１５にパケット通信で使用されるプリアンブル信号部、制御部およびデータ部より構成されるパケットフォーマットを併せて示す。図１６のパケット信号送信回路の動作を以下に示す。伝送速度設定回路４では、伝送速度情報Ｓ４から伝送速度の設定信号Ｓ５が出力される。
【０００６】
一方、データ量設定回路５では、データ量情報Ｓ６からデータ量の設定信号Ｓ７が出力される。制御信号設定回路６では、伝送速度の設定信号Ｓ５とデータ量の設定信号Ｓ７が入力され、制御情報Ｓ８が得られる。次に、データ部生成回路１では、入力データ信号Ｓ１が生成される。入出力信号制御回路２では、入力データ信号Ｓ１と制御情報Ｓ８とが入力され、データ信号Ｓ２が得られる。変調回路３では、データ信号Ｓ２に対して変調が行われ送信信号Ｓ３が得られる。
【０００７】
また、図１７のパケット信号受信回路の動作を以下に示す。復調回路１００１では、受信信号Ｓ１００１を受信して復調信号Ｓ１００２を出力する。入出力信号制御回路１００２では、復調信号Ｓ１００２に対してデータ信号Ｓ１００３と制御情報Ｓ１００４に入出力を制御する。データ部識別回路１００３では、データ信号Ｓ１００３に対してデータの復調が行われ復調信号Ｓ１００９が得られる。
【０００８】
一方、制御信号識別回路１００４では、伝送速度の設定信号Ｓ１００６とデータ量の設定信号Ｓ１００５が出力される。伝送速度識別回路１００６では、伝送速度の識別が行われ伝送速度情報Ｓ１００８が得られる。また、データ量識別回路１００５では、データ量の識別が行われデータ量情報Ｓ１００７が得られる。
【０００９】
以上説明したように、図１６および図１７に示した従来のパケット信号送信回路および受信回路では、データ部の前に制御情報として伝送速度およびデータ量の情報をデータに加えてパケット信号の送信および受信を行っている。
【００１０】
【非特許文献１】
ＩＥＥＥ．Ｓｔｄ８０２．１１ａ−１９９９
【非特許文献２】
”Ｇｅｒｈａｒｄ  Ｆｅｔｔｗｅｉｓ，”１／４Ｇｉｇａ−Ｂｉｔ／ｓ  ＷＬＡＮ，”ｄｏｃ．：ＩＥＥＥ８０２．１１−０２／３２０ｒ０，Ｍａｙ．２００２．
【非特許文献３】
Ａ．Ｖａｎ．Ｚｅｌｓｔ  ｅｔａｌ．，Ｐｒｏｃ  ｏｆ  ＶＴＣ２０００−Ｓｐｒｉｎｇ，ｐｐ１０７０−７０７４，Ｍａｙ  ２０００
【００１１】
【発明が解決しようとする課題】
パケット通信が適用されるシステムとして無線ＬＡＮを一例として本発明が解決する課題を示す。以下の課題は、従来システムとの互換性（バックワードコンパチビリティ）を確保した新規システムを構築しようとした場合に生じる。もちろん、これは無線だけではなく、有線のシステムにおいても既存システムからの置き換えを考慮した場合に全く同様の議論が成り立つ。
【００１２】
新規システムを全く新しく導入する場合には、既存のシステムを全て置き換え、新システムに移行する形態は、既存システムを使用していたユーザから見るとシステムの置き換えとなり非常にコストがかかることが予想される。このため新規に無線システムを構築する場合には、既存システムとの間にバックワードコンパチビリティ（互換性）を確保した新規システムが望まれる。
【００１３】
無線システムにおいて上記の例を考えてみる。無線システムでは一般的に、システム間で周波数を切り替えて使用するために、新規システムと従来システムとが混在して使用することは少ない。しかし、限られた周波数の下では、既存システムと新システムとが同一の周波数において共存することも求められる。この場合には、バックワードコンパチビリティを確保することが必須となる。具体的には、新規システムにおいて既存システムの信号を復調できること、および、新規システムからの信号が従来システムから見た場合に干渉信号とならないようにすること、さらに、可能であれば従来システムで新規システムからの信号の復調が可能なことが重要である。
【００１４】
ここでは、一例として、新規システムとして、各サブキャリア間隔および各サブキャリアの信号帯域幅は従来システムと同一のままで、サブキャリア数を増加させて信号帯域幅を広帯域化することで伝送速度を向上させるシステム（例えば、非特許文献２参照）および従来システムと同一のパラメータの下で別の送信アンテナから異なる信号を送信して空間的に多重を行うＳＤＭ（Ｓｐａｃｅ  Ｄｉｖｉｓｉｏｎ  Ｍｕｌｔｉｐｌｅｘｉｎｇ）（例えば、非特許文献３参照）システムを用いて伝送速度を向上させる場合が考えられる。これらのシステムにおいてもパケットを用いて通信を行う場合に、自パケットのデータ部の送信前に制御部を送信する必要がある。制御部の制御情報としては、主に伝送速度およびデータ量を送信する。いずれのシステムの場合でも従来システムとの間にコンパチビリティを確保するには、既存システムの側から見た場合に、新規システムから送信される制御部の制御情報を復調可能である必要がある。この場合では、新規システムの制御部における伝送速度の記述形式は、従来システムが識別可能な形式で記述される必要がある。
【００１５】
しかし、新規システムにおいて伝送速度を向上させた場合には新規システムでは送信するデータ量は増加する。この場合に従来システムの伝送速度の記述形式を用いて、新規システムの制御部の制御情報を記述すると、新規システムではデータ量が増加しているために、実際のデータ長以上に受信器にて判断されるデータ長が長くなるという問題がある。
【００１６】
もちろん、新規システム間においては、別途、新規システム用の制御部を送信する、あるいは、復調器から新規システムであることの特徴量を出力させることで、新規システムのパケット信号であることを識別可能であるが、従来システムではこれらの情報を利用することができないために、データ長を実際の値より長く識別してしまう。
【００１７】
また、このデータ長を誤って識別してしまう問題は、単にその値を読み誤ってしまう問題のみならず、既存システムにおいて非常に大きなスループットの低下という問題につながる。
【００１８】
従来技術の章で説明したように、アクセス方式にＣＳＭＡ／ＣＡを用いた場合には、送信前に他局の信号が存在するか判断するために受信している他局（他システム）の信号を自システムが復調および認識している。各受信器は、他局が送信停止しチャネルが空きの状態になった場合に、同時に各局が一斉に確率的に送信のタイミングを設定する作業を行う。この動作を開始するためには、各局の復調器が他局から送信されたパケットの時間長を適切に識別することが前提である。パケットの時間長は、プリアンブル信号に引き続いて送信される制御部に伝送速度とデータ量として記載されているために、この制御情報を復調してデータ長を判断している。したがって、新規システムからの制御情報を既存システムがそのまま識別してしまうと、実際のデータ長と異なるためにＣＳＭＡ／ＣＡのアクセス方式が適切に動作せず、新規システムと既存システムとの共存を実現する上で深刻な問題となる。
【００１９】
特に、記載されている制御部の伝送速度およびデータ量から判断されるデータ長の情報が実際のデータ長よりも長い場合には、本来は送信が可能な場合にも関わらず、既存システムが送信不可能な状態に陥ってしまい、スループットの低下が生じるという大きな問題がある。
【００２０】
また、逆に新規システムの伝送速度が非常に低速な場合には、制御部に記載されている伝送速度およびデータ量から判断されるデータ長の情報が実際のデータ長より短くなり、本来は送信が不可能であるにも関わらず、既存システムが送信を行ってしまい他システムへの干渉を与えてしまう。この場合にもスループットの低下に直結する問題が大いに考えられる。
【００２１】
本発明は、このような背景に行われたものであって、これらの問題を解決し、かつ、新規システムと既存システムとが混在して利用される場合に、バックワードコンパチビリティを確保しつつ、新規システムからのパケット信号を受信した既存システムの復調器が実際のパケットが送信されている時間を適切に判断することができるパケット信号送信回路および受信回路を提供することを目的とする。
【００２２】
【課題を解決するための手段】
本発明では新規システムと既存システムとのバックワードコンパチビリティを確保して通信を行う場合に、新規システムから送信される制御部の制御情報であるデータ量情報に、既存システムの受信器が、物理的に新規システムのパケットがチャネルを占有している時間を認識可能なように、新規システムのデータ量情報に補正を行うことを特徴としている。
【００２３】
本発明の概念の説明を図９を参照して行う。本発明を新規システムへ適用した場合における従来システムとの関係を以下に示す。まず、新規システムの伝送速度情報の記述形式は既存システムにおいて定義される形式を用いる。この下で、新規システムの送信器ではデータ量情報への補正処理を行う。新規システムにおいて従来システムで定義されていない高速な伝送速度にて送信される場合には、同じデータ量を送信する場合には、伝送速度が高速になる分だけ物理的にチャネルを占有するデータ長の時間が短くなる。したがって、従来システムが高速な伝送速度で送信される新規システムのパケットを受信しても適切にデータ長を判断できるよう、データ長が短く識別されるように補正を行って送信される。
【００２４】
既存システムの復調器からみると、実際にパケットが占有しているデータ長が制御部の制御情報として示されていることしか判断できない。既存システムの受信器は、新規システムからの信号なのか、従来システムからの信号なのか意識することなく、この時間を参照して復調動作を行うことが可能となり、上記問題は解決する。
【００２５】
一方、新規システムの受信器に新規システムのパケットが到来した場合には、もちろん、新規システムの受信器は新規システムからの信号だと判断可能である。これは、上述したように新規システムであることを示すビットを用いるか、復調器から新規システムの信号の特徴を抽出することで実現が可能である。したがって、制御部に記載されたデータ量に関する補正を新規システムのパケットに対して行うのみで本来のデータ長の情報が得られる。
【００２６】
もちろん、新規システムの受信器は、既存システムからのパケットが到来した場合には、従来システムからの信号であると判断可能であるために、制御部に記載された制御情報のデータ量の設定値をそのままデータ量情報として判断して復調動作を行う。以上のように、新規システムの制御部のデータ量情報に補正を行うことで、データ長が実際に物理的にチャネルを占有する時間と異なって識別されてしまう問題を解決している。
【００２７】
もちろん、このオフセットの与え方には、様々な構成が考えられる。図１０に示すように、ＩＥＥＥ８０１．１１ａに規定されているように伝送速度とデータ量（ＬＥＮＧＴＨ）を参照して、パケット長を算出しているシステムでは、情報量に対して補正を加える手法が考えられる。また、データ量情報として直接時間長が制御部に記載されているシステムに関しては、その時間を直接制御する手法等様々な構成が考えられる。
【００２８】
あるいは、送信されるデータ量に応じては、補正を行った値が受信側で適切にその補正値が戻されて真のデータ量になるとは限らない。具体的には、送信側で補正後のデータ量に、例えば小数点以下の値が生じた場合には、この値を切り捨てする処理を行うことも、もちろん可能である。この処理を行うことで、受信器側ではデータ長を短くすることが可能であるために、スループット劣化への影響を抑えることが可能になる。
【００２９】
さらに、送信側で補正後のデータ量に、例えば小数点以下の値が生じた場合には、この値を切り上げて処理を行うことも可能である。この処理を行うことで、受信器側ではデータ長を必要以上に短くすることを回避可能であるために、他局へ不必要な干渉を与えることが少なくなる。
【００３０】
また、上述したように補正値には誤差が生じることがある。したがって、受信器の復調の処理に真のデータ長が必要な場合には、新規システムと既存システムとで共通に使用する制御部とは別に、別途、新規システムが認識可能な制御部を送信することもできる。
【００３１】
ここで、新規システムに適用した場合の具体例を示す。図１２〜図１４においては、従来システムにはＩＥＥＥ８０２．１１ａを用いた場合について示している。伝送速度を向上させた新規システムの構成には様々な形式が考えられるが、例えば、サブキャリア間隔および各サブキャリアの信号帯域幅を従来システムと同一として、サブキャリア数を増加させた方式で新規システムを実現した場合の例を示す（例えば、非特許文献２参照）。この帯域拡大システムの周波数配置を図１２に、パケットフォーマットの一例を図１１にそれぞれ示す。また、比較のために従来システムも併せて各図に示す。図１２に示すように、帯域拡大システムは、既存システムと周波数とを共通に用いて運用される。この場合に、図１１に示すように帯域拡大システムの信号には、従来システムが識別可能なようにパケットフォーマットに従来システムとの共通の制御部（ＳＩＧＮＡＬ）を送信して、データ量情報の共通化を図る。もちろん、この制御部を共通で使用する場合以外にも図１１に示すように、従来システムでは使用しない中心のガードバンド部で真のデータ量等の制御情報を送信する構成が考えられる。この帯域拡大システムの場合においても従来システムとの共通の制御部を送信した後に、別途、帯域拡大システム用の制御部を引き続いて送信することもできる。
【００３２】
また、新規システムとしてＳＤＭシステムを用いた場合の例を図１３、図１４に示す。ＳＤＭシステムの場合には、使用する周波数帯域は共通である。図１３のパケットフォーマットで示すように、共通の制御部においてデータ量の識別を行うことが可能である。もちろん、このＳＤＭシステムの場合においても従来システムとの共通の制御部を送信した後に、別途、ＳＤＭシステム用の制御部を引き続いて送信することもできる。
【００３３】
あるいは、他の方式で新規システムを実現した場合には、既存システムが識別可能な制御部を用いて、データ量の識別を行う。あるいは、共通の制御部の後に、別途、新規システム用に制御部を送信する構成とすることもできる。
【００３４】
次に、受信器において既存システムの信号であるか新規システムの信号であるかを識別する手法として、ここでは、一例としてＩＥＥＥ８０２．１１ａの制御部を用いた場合を図１０を用いて説明する。ＩＥＥＥ８０２．１１ａの制御部にはＲｅｓｅｒｖｅと定義された現在は未使用のビットがある。したがって、受信器ではこのビットが立った場合には新規システムからのパケット信号だと判断してデータ量の補正を行うこともできる。
【００３５】
あるいは、新規システムからの信号を判断する手法として、受信器のＡＧＣ部、タイミング同期部、ＡＦＣ部、チャネル推定部、誤り訂正復号部等のパケット信号復調に関する機能ブロックにおいて検出がなされた新規システムからのパケット信号の特徴量を利用してデータ量の補正を行うか、行わないかの判断をすることもできる。
【００３６】
すなわち、本発明の第一の観点はパケット信号送信回路であって、伝送速度情報が入力され伝送速度の設定を行う伝送速度設定手段と、パケットにて送信されるデータ量情報が入力されデータ量の設定を行うデータ量設定手段と、前記伝送速度設定手段の出力信号と前記データ量設定手段の出力信号とが入力され、受信側でデータ長を算出するための制御情報を生成する制御信号設定手段と、入力データの生成を行うデータ部生成手段と、前記制御信号設定手段の出力信号と前記データ部生成手段の出力信号とが入力され、データ信号と制御情報との対応関係が受信側で判別できるように入出力順番の制御が行われる入出力信号制御手段と、前記入出力信号制御手段の出力信号が入力され変調が行われる変調手段とを有するパケット信号送信回路である。
【００３７】
ここで、本発明の特徴とするところは、前記伝送速度設定手段は、従来設定されている以上の高速な伝送速度を示す伝送速度情報が入力された場合には、補正値設定手段へ伝送速度情報を出力し、前記制御信号設定手段へは従来の設定されている伝送速度情報の形式を用いて伝送速度の設定を行う手段を備え、前記補正値設定手段は、データ量情報と前記伝送速度設定手段から出力された伝送速度情報とが入力され、入力された伝送速度情報に応じて伝送速度の増加分だけデータ長が短くなるようにデータ量に補正を行う手段を備え、前記データ量設定手段は、前記補正値設定手段の出力信号が入力された場合には、この値を用いてデータ量設定を行う手段を備えたところにある（請求項１に対応）。
【００３８】
これによれば、従来システムに規定された伝送速度であるのか無いのかの判断を行ない、この伝送速度の情報に応じてデータ量への補正値を設定する。あるいは、設定しない等の処理が可能である。補正を行ったデータ量の情報を制御部に加えたパケットの送信が可能である。
【００３９】
あるいは、本発明のパケット信号送信回路は、伝送速度情報が入力され伝送速度の設定を行う伝送速度設定手段と、パケットにて送信されるデータ量情報が入力されデータ量の設定を行う第一のデータ量設定手段と、前記伝送速度設定手段の出力信号と前記データ量設定手段の出力信号とが入力され、受信側でデータ長を算出するための制御情報を生成する制御信号設定手段と、入力データの生成を行うデータ部生成手段と、前記制御信号設定手段の出力信号と前記データ部生成手段の出力信号とが入力され、データ信号と制御情報との対応関係が受信側で判別できるように入出力順番の制御が行われる入出力信号制御手段と、前記入出力信号制御手段の出力信号が入力され変調が行われる変調手段とを有するパケット信号送信回路である。
【００４０】
ここで、本発明の特徴とするところは、前記伝送速度設定手段は、従来設定されている以上の高速な伝送速度を示す伝送速度情報が入力された場合には、補正値設定手段へ伝送速度情報を出力し、前記制御信号設定手段へは従来の設定されている伝送速度情報の形式を用いて伝送速度の設定を行う手段を備え、前記補正値設定手段は、データ量情報と前記伝送速度設定手段から出力された伝送速度情報とが入力され、入力された伝送速度情報に応じて伝送速度の増加分だけデータ長が短くなるようにデータ量に補正を行う手段を備え、前記補正値設定手段の出力信号が入力された場合には、この値を用いてデータ量設定を行う第二のデータ量設定手段を備えたところにある（請求項２に対応）。
【００４１】
これによれば、従来システムに規定された伝送速度であるのか無いのかの判断を行い、この伝送速度の情報に応じてデータ量への補正値を設定する。あるいは、設定しない等の処理が可能である。補正を行ったデータ量の情報を制御部に加えたパケットの送信が可能である。また、この特徴に加えて補正を加える前の真のデータ量の設定値を別途送信することで、受信器にて新規システムのデータ量の正確な値が判断可能となる。
【００４２】
あるいは、本発明の第二の観点はパケット信号受信回路であって、受信パケット信号が入力され受信パケット信号の復調を行う復調手段と、前記復調手段から出力される復調信号が入力され制御情報と復調データとの対応関係が保存されるように入出力順番の制御が行われる入出力信号制御手段と、前記入出力信号制御手段から出力される復調パケットのデータ識別を行うデータ部識別手段と、前記入出力信号制御手段から別途出力される制御情報が入力され当該制御情報の識別を行う制御信号識別手段と、前記制御信号識別手段から出力されるデータ量の設定値が入力されデータ量情報を識別して出力するデータ量識別手段と、前記制御信号識別手段から別途出力される伝送速度の設定値が入力され、伝送速度情報を出力する伝送速度識別手段とを有するパケット信号受信回路である。
【００４３】
ここで、本発明の特徴とするところは、前記制御信号識別手段は、従来設定されていた以上の高速な伝送速度であることを示す信号を受信した場合には、データ量の補正を行う制御信号を出力する手段を備え、前記制御信号識別手段からデータ量を補正する制御信号および伝送速度の設定値およびデータ量の設定値が入力され、送信側で行った補正と逆の補正を行い正しいデータ量の設定値を出力する補正値識別手段を備え、前記データ量識別手段は、前記補正値識別手段の出力信号が入力された場合には、この値を用いて受信パケットのデータ量情報の識別を行う手段を備えたところにある（請求項３に対応）。
【００４４】
これによれば、受信パケット信号の制御信号識別部において新規システムの信号であるかの判断を行い、この判断結果に応じて送信側と逆のデータ量への補正を設定する、あるいは、設定しない等の処理が可能である。補正が行われたデータ量の情報を制御部に備えたパケットの受信が可能である。
【００４５】
あるいは、本発明のパケット信号受信回路は、受信パケット信号が入力され受信パケット信号の復調を行う復調手段と、前記復調手段から出力される復調信号が入力され制御情報と復調データとの対応関係が保存されるように入出力順番の制御が行われる入出力信号制御手段と、前記入出力信号制御手段から出力される復調パケットのデータ識別を行うデータ部識別手段と、前記入出力信号制御手段から別途出力される制御情報が入力され当該制御情報の識別を行う制御信号識別手段と、前記制御信号識別手段から出力されるデータ量の設定値が入力されデータ量情報を識別して出力する第一のデータ量識別手段と、前記制御信号識別手段から別途出力される伝送速度の設定値が入力され、伝送速度情報を出力する伝送速度識別手段とを有するパケット信号受信回路である。
【００４６】
ここで、本発明の特徴とするところは、前記制御信号識別手段は、従来設定されていた以上の高速な伝送速度であることを示す信号を受信した場合には、データ量の補正を行う制御信号を出力する手段を備え、前記制御信号識別手段からデータ量を補正する制御信号および伝送速度の設定値およびデータ量の設定値が入力され、送信側で行った補正と逆の補正を行い正しいデータ量の設定値を出力する補正値識別手段と、前記補正値識別手段の出力信号が入力された場合には、この値を用いて受信パケットのデータ量情報の識別を行う第二のデータ量識別手段とを備えたところにある（請求項４に対応）。
【００４７】
これによれば、受信パケット信号の制御信号識別部において新規システムの信号であるかの判断を行い、この判断結果に応じて送信側と逆のデータ量への補正を設定する、あるいは、設定しない等の処理が可能である。補正が行われたデータ量の情報を制御部に備えたパケットの受信が可能である。また、この特徴に加えて送信器から送信された補正を加える前の真のデータ量の設定値も判断可能である。
【００４８】
あるいは、本発明のパケット信号受信回路は、受信パケット信号が入力され受信パケット信号の復調を行う復調手段と、前記復調手段から出力される復調信号が入力され制御情報と復調データとの対応関係が保存されるように入出力順番の制御が行われる入出力信号制御手段と、前記入出力信号制御手段から出力される復調パケットのデータ識別を行うデータ部識別手段と、前記入出力信号制御手段から別途出力される制御情報が入力され当該制御情報の識別を行う制御信号識別手段と、前記制御信号識別手段から出力されるデータ量の設定値が入力されデータ量情報を識別して出力するデータ量識別手段と、前記制御信号識別手段から別途出力される伝送速度の設定値が入力され、伝送速度情報を出力する伝送速度識別手段とを有するパケット信号受信回路である。
【００４９】
ここで、本発明の特徴とするところは、前記復調手段は、従来設定されていた以上の高速な伝送速度であることを示す信号を受信した場合には、データ量の補正を行う制御信号を出力する手段を備え、前記復調手段からデータ量を補正する制御信号が入力され、前記制御信号識別手段から伝送速度の設定値およびデータ量の設定値が入力され、送信側で行った補正と逆の補正を行い正しいデータ量の設定値を出力する補正値識別手段を備え、前記データ量識別手段は、前記補正値識別手段の出力信号が入力された場合には、この値を用いて受信パケットのデータ量情報の識別を行う手段を備えたところにある（請求項５に対応）。
【００５０】
これによれば、受信パケット信号の復調部において新規システムの信号であるかの判断を行い、この判断結果に応じて送信側と逆のデータ量への補正を設定する、あるいは、設定しない等の処理が可能である。補正が行われたデータ量の情報を制御部に備えたパケットの受信が可能である。
【００５１】
あるいは、本発明のパケット信号受信回路は、受信パケット信号が入力され受信パケット信号の復調を行う復調手段と、前記復調手段から出力される復調信号が入力され制御情報と復調データとの対応関係が保存されるように入出力順番の制御が行われる入出力信号制御手段と、前記入出力信号制御手段から出力される復調パケットのデータ識別を行うデータ部識別手段と、前記入出力信号制御手段から別途出力される制御情報が入力され当該制御情報の識別を行う制御信号識別手段と、前記制御信号識別手段から出力されるデータ量の設定値が入力されデータ量情報を識別して出力する第一のデータ量識別手段と、前記制御信号識別手段から別途出力される伝送速度の設定値が入力され、伝送速度情報を出力する伝送速度識別手段とを有するパケット信号受信回路である。
【００５２】
ここで、本発明の特徴とするところは、前記復調手段は、従来設定されていた以上の高速な伝送速度であることを示す信号を受信した場合には、データ量の補正を行う制御信号を出力する手段を備え、前記復調手段からデータ量を補正する制御信号が入力され、前記制御信号識別手段から伝送速度の設定値およびデータ量の設定値が入力され、送信側で行った補正と逆の補正を行い正しいデータ量の設定値を出力する補正値識別手段と、前記補正値識別手段の出力信号が入力された場合には、この値を用いて受信パケットのデータ量情報の識別を行う第二のデータ量識別手段とを備えたところにある（請求項６に対応）。
【００５３】
これによれば、受信パケット信号の復調部において新規システムの信号であるかの判断を行い、この判断結果に応じて送信側と逆のデータ量への補正を設定する、あるいは、設定しない等の処理が可能である。補正が行われたデータ量の情報を制御部に備えたパケットの受信が可能である。また、この特徴に加えて送信器から送信された補正を加える前の真のデータ量の設定値も判断可能である。
【００５４】
あるいは、本発明のパケット信号受信回路は、受信パケット信号が入力され受信パケット信号の復調を行う復調手段と、前記復調手段から出力される復調信号が入力され制御情報と復調データとの対応関係が保存されるように入出力順番の制御が行われる入出力信号制御手段と、前記入出力信号制御手段から出力される復調パケットのデータ識別を行うデータ部識別手段と、前記入出力信号制御手段から別途出力される制御情報が入力され当該制御情報の識別を行う制御信号識別手段と、前記制御信号識別手段から出力されるデータ量の設定値が入力されデータ量情報を識別して出力するデータ量識別手段と、前記制御信号識別手段から別途出力される伝送速度の設定値が入力され、伝送速度情報を出力する伝送速度識別手段とを有するパケット信号受信回路である。
【００５５】
ここで、本発明の特徴とするところは、前記制御信号識別手段は、従来設定されていた以上の高速な伝送速度であることを示す信号を受信した場合には、データ量の補正を行う第一の制御信号を出力する手段を備え、前記復調手段は、従来設定されていた以上の高速な伝送速度であることを示す信号を受信した場合には、データ量の補正を行う第二の制御信号を出力する手段を備え、前記制御信号識別手段からデータ量を補正する第一の制御信号および伝送速度の設定値およびデータ量の設定値が入力され、別途、前記復調手段からデータ量を補正する第二の制御信号が入力され、これらの信号を用いて送信側で行った補正と逆の補正を行い正しいデータ量の設定値を出力する補正値識別手段を備え、前記データ量識別手段は、前記補正値識別手段の出力信号が入力された場合には、この値を用いて受信パケットのデータ量情報の識別を行う手段を備えたところにある（請求項７に対応）。
【００５６】
これによれば、受信パケット信号の復調部および制御信号識別部において新規システムの信号であるかの判断を行い、この判断結果に応じて送信側と逆のデータ量への補正を設定する、あるいは、設定しない等の処理が可能である。補正が行われたデータ量の情報を制御部に備えたパケットの受信が可能である。特に、制御信号識別手段で受信した従来設定されていた以上の高速な伝送速度であることを示す信号と、復調手段で受信した従来設定されていた以上の高速な伝送速度であることを示す信号との両方が揃うことにより新規システムの伝送速度が定義される信号形式に対応することができる。
【００５７】
あるいは、本発明のパケット信号受信回路は、受信パケット信号が入力され受信パケット信号の復調を行う復調手段と、前記復調手段から出力される復調信号が入力され制御情報と復調データとの対応関係が保存されるように入出力順番の制御が行われる入出力信号制御手段と、前記入出力信号制御手段から出力される復調パケットのデータ識別を行うデータ部識別手段と、前記入出力信号制御手段から別途出力される制御情報が入力され当該制御情報の識別を行う制御信号識別手段と、前記制御信号識別手段から出力されるデータ量の設定値が入力されデータ量情報を識別して出力する第一のデータ量識別手段と、前記制御信号識別手段から別途出力される伝送速度の設定値が入力され、伝送速度情報を出力する伝送速度識別手段とを有するパケット信号受信回路である。
【００５８】
ここで、本発明の特徴とするところは、前記制御信号識別手段は、従来設定されていた以上の高速な伝送速度であることを示す信号を受信した場合には、データ量の補正を行う第一の制御信号を出力する手段を備え、前記復調手段は、従来設定されていた以上の高速な伝送速度であることを示す信号を受信した場合には、データ量の補正を行う第二の制御信号を出力する手段を備え、前記制御信号識別手段からデータ量を補正する第一の制御信号および伝送速度の設定値およびデータ量の設定値が入力され、別途、前記復調手段からデータ量を補正する第二の制御信号が入力され、これらの信号を用いて送信側で行った補正と逆の補正を行い正しいデータ量の設定値を出力する補正値識別手段と、前記補正値識別手段の出力信号が入力された場合には、この値を用いて受信パケットのデータ量情報の識別を行う第二のデータ量識別手段とを備えたところにある（請求項８に対応）。
【００５９】
これによれば、受信パケット信号の復調部および制御信号識別部において新規システムの信号であるかの判断を行い、この判断結果に応じて送信側と逆のデータ量への補正を設定する、あるいは、設定しない等の処理が可能である。補正が行われたデータ量の情報を制御部に備えたパケットの受信が可能である。また、この特徴に加えて送信器から送信された補正を加える前の真のデータ量の設定も判断可能である。特に、制御信号識別手段で受信した従来設定されていた以上の高速な伝送速度であることを示す信号と、復調手段で受信した従来設定されていた以上の高速な伝送速度であることを示す信号との両方が揃うことにより新規システムの伝送速度が定義される信号形式に対応することができる。
【００６０】
あるいは、本発明のパケット信号受信回路は、受信パケット信号が入力され受信パケット信号の復調を行う復調手段と、前記復調手段から出力される復調信号が入力され制御情報と復調データとの対応関係が保存されるように入出力順番の制御が行われる入出力信号制御手段と、前記入出力信号制御手段から出力される復調パケットのデータ識別を行うデータ部識別手段と、前記入出力信号制御手段から別途出力される制御情報が入力され当該制御情報の識別を行う制御信号識別手段と、前記制御信号識別手段から出力されるデータ量の設定値が入力されデータ量情報を識別して出力するデータ量識別手段と、前記制御信号識別手段から別途出力される伝送速度の設定値が入力され、伝送速度情報を出力する伝送速度識別手段とを有するパケット信号受信回路である。
【００６１】
ここで、本発明の特徴とするところは、前記制御信号識別手段は、従来設定されていた以上の高速な伝送速度であることを示す信号を受信した場合には、データ量の補正を行う第一の制御信号を出力する手段を備え、前記復調手段は、従来設定されていた以上の高速な伝送速度であることを示す信号を受信した場合には、データ量の補正を行う第二の制御信号を出力する手段を備え、前記制御信号識別手段からデータ量を補正する第一の制御信号および伝送速度の設定値およびデータ量の設定値が入力され、別途、前記復調手段からデータ量を補正する第二の制御信号が入力され、少なくとも前記第一または第二の制御信号のいずれかを用いて送信側で行った補正と逆の補正を行い正しいデータ量の設定値を出力する補正値識別手段を備え、前記データ量識別手段は、前記補正値識別手段の出力信号が入力された場合には、この値を用いて受信パケットのデータ量情報の識別を行う手段を備えたところにある（請求項９に対応）。
【００６２】
これによれば、受信パケット信号の復調部および制御信号識別部において新規システムの信号であるかの判断を行い、この判断結果に応じて送信側と逆のデータ量への補正を設定する、あるいは、設定しない等の処理が可能である。補正が行われたデータ量の情報を制御部に備えたパケットの受信が可能である。特に、制御信号識別手段で従来設定されていた以上の高速な伝送速度であることを示す信号が受信される信号形式と、復調手段で従来設定されていた以上の高速な伝送速度であることを示す信号が受信される信号形式とが混在する場合に、第一または第二の制御信号のいずれか一方をトリガーとして送信側と逆のデータ量への補正を設定することができるため、多様な信号形式の混在に対応することができる。
【００６３】
あるいは、本発明のパケット信号受信回路は、受信パケット信号が入力され受信パケット信号の復調を行う復調手段と、前記復調手段から出力される復調信号が入力され制御情報と復調データとの対応関係が保存されるように入出力順番の制御が行われる入出力信号制御手段と、前記入出力信号制御手段から出力される復調パケットのデータ識別を行うデータ部識別手段と、前記入出力信号制御手段から別途出力される制御情報が入力され当該制御情報の識別を行う制御信号識別手段と、前記制御信号識別手段から出力されるデータ量の設定値が入力されデータ量情報を識別して出力する第一のデータ量識別手段と、前記制御信号識別手段から別途出力される伝送速度の設定値が入力され、伝送速度情報を出力する伝送速度識別手段とを有するパケット信号受信回路である。
【００６４】
ここで、本発明の特徴とするところは、前記制御信号識別手段は、従来設定されていた以上の高速な伝送速度であることを示す信号を受信した場合には、データ量の補正を行う第一の制御信号を出力する手段を備え、前記復調手段は、従来設定されていた以上の高速な伝送速度であることを示す信号を受信した場合には、データ量の補正を行う第二の制御信号を出力する手段を備え、前記制御信号識別手段からデータ量を補正する第一の制御信号および伝送速度の設定値およびデータ量の設定値が入力され、別途、前記復調手段からデータ量を補正する第二の制御信号が入力され、少なくとも前記第一または第二の制御信号のいずれかを用いて送信側で行った補正と逆の補正を行い正しいデータ量の設定値を出力する補正値識別手段と、前記補正値識別手段の出力信号が入力された場合には、この値を用いて受信パケットのデータ量情報の識別を行う第二のデータ量識別手段とを備えたところにある（請求項１０に対応）。
【００６５】
これによれば、受信パケット信号の復調部および制御信号識別部において新規システムの信号であるかの判断を行い、この判断結果に応じて送信側と逆のデータ量への補正を設定する、あるいは、設定しない等の処理が可能である。補正が行われたデータ量の情報を制御部に備えたパケットの受信が可能である。また、この特徴に加えて送信器から送信された補正を加える前の真のデータ量の設定も判断可能である。特に、制御信号識別手段で従来設定されていた以上の高速な伝送速度であることを示す信号が受信される信号形式と、復調手段で従来設定されていた以上の高速な伝送速度であることを示す信号が受信される信号形式とが混在する場合に、第一または第二の制御信号のいずれか一方をトリガーとして送信側と逆のデータ量への補正を設定することができるため、多様な信号形式の混在に対応することができる。
【００６６】
様々に考えられる本発明の構成の中で、既存システムにおいて新規システムからの制御情報を適切に認識可能であるシステムとしては、上述した、帯域拡大システム、ＳＤＭシステム、あるいは、別の手法により伝送速度を向上、あるいは、より低速の伝送速度を実現するシステムを対象とすることが考えられるが当然本発明が適用可能であり、その効果は既存システムのスループットの低下を抑えることにある。
【００６７】
本発明では以上説明した動作を行うことで、新規システムと既存システムとが混在して利用される場合に、バックワードコンパチビリティを確保しつつ、新規システムからのパケット信号を受信した既存システムの復調器が実際のパケットが送信されている時間を適切に判断することを可能にする。従来技術で問題であった、新規システムと従来システムとが混在した場合に、データ長の時間を誤って判断する等の諸問題を解決している。
【００６８】
【発明の実施の形態】
（第一実施例）
第一実施例のパケット信号送信回路を図１を参照して説明する（請求項１に対応）。第一実施例は、図１に示すように、伝送速度情報が入力され伝送速度の設定を行う伝送速度設定回路１０４と、パケットにて送信されるデータ量情報が入力されデータ量の設定を行うデータ量設定回路１０５と、伝送速度設定回路１０４の出力信号とデータ量設定回路１０５の出力信号とが入力され、受信側でデータ長を算出するための制御情報を生成する制御信号設定回路１０６と、入力データの生成を行うデータ部生成回路１０１と、制御信号設定回路１０６の出力信号とデータ部生成回路１０１の出力信号とが入力され、データ信号と制御情報との対応関係が受信側で判別できるように入出力順番の制御が行われる入出力信号制御回路１０２と、入出力信号制御回路１０２の出力信号が入力され変調が行われる変調回路１０３とを有するパケット信号送信回路である。
【００６９】
ここで、第一実施例の特徴とするところは、伝送速度設定回路１０４は、従来設定されている以上の高速な伝送速度を示す伝送速度情報が入力された場合には、補正値設定回路１０７へ伝送速度情報を出力し、制御信号設定回路１０６へは従来の設定されている伝送速度情報の形式を用いて伝送速度の設定を行い、補正値設定回路１０７は、データ量情報と伝送速度設定回路１０４から出力された伝送速度情報とが入力され、入力された伝送速度情報に応じて伝送速度の増加分だけデータ長が短くなるようにデータ量に補正を行い、データ量設定回路１０５は、補正値設定回路１０７の出力信号が入力された場合には、この値を用いてデータ量設定を行うところにある。
【００７０】
次に、第一実施例のパケット信号送信回路の動作を説明する。伝送速度設定回路１０４では、伝送速度情報Ｓ１０４から伝送速度の設定信号Ｓ１０５が出力される。一方、従来システムにおいて規定されていない伝送速度の場合には伝送速度情報Ｓ１０９を出力する。補正値設定回路１０７では、伝送速度情報Ｓ１０９に応じてデータ量情報Ｓ１０６に補正を行い、補正データ量信号Ｓ１１０を出力する。データ量設定回路１０５では、補正データ量信号が入力された場合には、補正データ量信号Ｓ１１０に従い、データ量の設定信号Ｓ１０７を出力し、補正データ量信号が入力されない場合には、データ量情報Ｓ１０６を用いてデータ量の設定信号Ｓ１０７を出力する。制御信号設定回路１０６では、伝送速度の設定信号Ｓ１０５とデータ量の設定信号Ｓ１０７が入力され、制御情報Ｓ１０８が得られる。一方、データ生成回路１０１では、入力データ信号Ｓ１０１が生成される。入出力信号制御回路１０２では、入力データ信号Ｓ１０１と制御情報Ｓ１０８が順次入力され、データ信号Ｓ１０２を出力する。変調回路１０３では、データ信号Ｓ１０２に対して変調が行われ送信信号Ｓ１０３が得られる。
【００７１】
（第二実施例）
第二実施例のパケット信号送信回路を図２を参照して説明する（請求項２に対応）。第二実施例は、伝送速度情報が入力され伝送速度の設定を行う伝送速度設定回路２０４と、パケットにて送信されるデータ量情報が入力されデータ量の設定を行うデータ量設定回路２０８と、伝送速度設定回路２０４の出力信号とデータ量設定回路２０５の出力信号とが入力され、受信側でデータ長を算出するための制御情報を生成する制御信号設定回路２０６と、入力データの生成を行うデータ部生成回路２０１と、制御信号設定回路２０６の出力信号とデータ部生成回路２０１の出力信号とが入力され、データ信号と制御情報との対応関係が受信側で判別できるように入出力順番の制御が行われる入出力信号制御回路２０２と、入出力信号制御回路２０２の出力信号が入力され変調が行われる変調回路２０３とを有するパケット信号送信回路である。
【００７２】
ここで、第二実施例の特徴とするところは、伝送速度設定回路２０４は、従来設定されている以上の高速な伝送速度を示す伝送速度情報が入力された場合には、補正値設定回路２０７へ伝送速度情報を出力し、制御信号設定回路２０６へは従来の設定されている伝送速度情報の形式を用いて伝送速度の設定を行い、補正値設定回路２０７は、データ量情報と伝送速度設定回路２０４から出力された伝送速度情報とが入力され、入力された伝送速度情報に応じて伝送速度の増加分だけデータ長が短くなるようにデータ量に補正を行い、補正値設定回路２０７の出力信号が入力された場合には、この値を用いてデータ量設定を行うデータ量設定回路２０５を備えたところにある。
【００７３】
次に、第二実施例のパケット信号送信回路の動作を説明する。伝送速度設定回路２０４では、伝送速度情報Ｓ２０４から伝送速度の設定信号Ｓ２０５が出力される。一方、従来システムにおいて規定されていない伝送速度の場合に伝送速度情報Ｓ２０９を出力する。補正値設定回路２０７では、伝送速度情報Ｓ２０９に応じてデータ量情報Ｓ２０６に補正を行ない、補正データ量信号Ｓ２１０を出力する。データ量設定回路２０５では、補正データ量信号が入力された場合には、補正データ量信号Ｓ２１０に従い、データ量の設定信号Ｓ２０７を出力し、補正データ量信号が入力されない場合には、データ量情報Ｓ２０６を用いてデータ量の設定信号Ｓ２０７を出力する。また、データ量設定回路２０８ではデータ量情報Ｓ２０６に対して、データ量の設定が行なわれ、補正を行なわない真のデータ量の設定信号Ｓ２１１が出力される。
【００７４】
制御信号設定回路２０６では、伝送速度の設定信号Ｓ２０５とデータ量の設定信号Ｓ２０７および真のデータ量の設定信号Ｓ２１１が入力される。従来システムが認識可能な制御情報には、伝送速度の設定信号Ｓ２０５とデータ量の設定信号Ｓ２０７が制御情報として記載される。図１１に示した例では、従来システムが認識可能な制御部（１１ａＳＩＧＮＡＬ）に制御情報として設定がなされる。一方、真のデータ量の設定信号Ｓ２１１は、従来システムの制御部ではない、別途、新規システムにおいてのみ送信がなされる制御部に記載される。制御信号設定回路２０６では、以上の制御情報の設定処理が行われ制御情報Ｓ２０８が得られる。
【００７５】
一方、データ部生成回路２０１では、入力データ信号Ｓ２０１が生成される。入出力信号制御回路２０２では、入力データ信号Ｓ２０１と制御情報Ｓ２０８とが順次入力され、データ信号Ｓ２０２を出力する。変調回路２０３では、データ信号Ｓ２０２に対して変調が行われ送信信号Ｓ２０３が得られる。
【００７６】
第二実施例は、データ量設定回路２０８から補正を加える前の真のデータ量の設定値が得られるので、制御信号設定回路２０６にて新規システムのデータ量の正確な値が判断可能となるところが第一実施例とは異なる。
【００７７】
（第三実施例）
第三実施例のパケット信号受信回路を図３を参照して説明する（請求項３に対応）。第三実施例のパケット信号受信回路は、図３に示すように、受信パケット信号が入力され受信パケット信号の復調を行う復調回路３００１と、復調回路３００１から出力される復調信号が入力され制御情報と復調データとの対応関係が保存されるように入出力順番の制御が行われる入出力信号制御回路３００２と、入出力信号制御回路３００２から出力される復調パケットのデータ識別を行うデータ部識別回路３００３と、入出力信号制御回路３００２から別途出力される制御情報が入力され当該制御情報の識別を行う制御信号識別回路３００４と、制御信号識別回路３００４から出力されるデータ量の設定値が入力されデータ量情報を識別して出力するデータ量識別回路３００５と、制御信号識別回路３００４から別途出力される伝送速度の設定値が入力され、伝送速度情報を出力する伝送速度識別回路３００６とを有するパケット信号受信回路である。
【００７８】
ここで、第三実施例の特徴とするところは、制御信号識別回路３００４は、従来設定されていた以上の高速な伝送速度であることを示す信号を受信した場合には、データ量の補正を行う制御信号を出力し、制御信号識別回路３００４からデータ量を補正する制御信号および伝送速度の設定値およびデータ量の設定値が入力され、送信側で行った補正と逆の補正を行い正しいデータ量の設定値を出力する補正値識別回路３００７とを備え、データ量識別回路３００５は、補正値識別回路３００７の出力信号が入力された場合には、この値を用いて受信パケットのデータ量情報の識別を行うところにある。
【００７９】
次に、第三実施例のパケット信号受信回路の動作を説明する。復調回路３００１では、受信信号Ｓ３００１を受信して復調信号Ｓ３００２を出力する。入出力信号制御回路３００２では、復調信号Ｓ３００２に対してデータ信号Ｓ３００３と制御情報Ｓ３００４に入出力を制御する。データ部復調回路３００３では、データ信号Ｓ３００３に対してデータの復調が行われ復調信号Ｓ３０１５が得られる。
【００８０】
一方、制御信号識別回路３００４では、伝送速度の設定信号Ｓ３００６とデータ量の設定信号Ｓ３００５を出力し、新規システムの信号を識別した場合には、補正を行うことを指示する制御信号Ｓ３０１０を出力する。伝送速度識別回路３００６では、伝送速度の識別が行われ伝送速度情報Ｓ３００８が得られる。補正値識別回路３００７には、伝送速度の設定信号Ｓ３００６とデータ量の設定信号Ｓ３００５が入力され、制御信号Ｓ３０１０が入力された場合には、送信側と逆の補正をデータ量の設定信号に行い、補正後のデータ量の設定信号Ｓ３００９を出力する。また、データ量識別回路３００５では、補正後のデータ量の設定信号Ｓ３００９が入力された場合には、この値を用いて補正後データ量情報Ｓ３００７を出力し、補正後のデータ量の設定信号Ｓ３００９が入力されない場合には補正は行なわれないためデータ量の設定信号Ｓ３００５を用いて補正後データ量情報Ｓ３００７を出力する。
【００８１】
（第四実施例）
第四実施例のパケット信号受信回路を図４を参照して説明する（請求項４に対応）。第四実施例のパケット信号受信回路は、図４に示すように、受信パケット信号が入力され受信パケット信号の復調を行う復調回路４００１と、復調回路４００１から出力される復調信号が入力され制御情報と復調データとの対応関係が保存されるように入出力順番の制御が行われる入出力信号制御回路４００２と、入出力信号制御回路４００２から出力される復調パケットのデータ識別を行うデータ部識別回路４００３と、入出力信号制御回路４００２から別途出力される制御情報が入力され当該制御情報の識別を行う制御信号識別回路４００４と、制御信号識別回路４００４から出力されるデータ量の設定値が入力されデータ量情報を識別して出力するデータ量識別回路４００８と、制御信号識別回路４００４から別途出力される伝送速度の設定値が入力され、伝送速度情報を出力する伝送速度識別回路４００６とを有するパケット信号受信回路である。
【００８２】
ここで、第四実施例の特徴とするところは、制御信号識別回路４００４は、従来設定されていた以上の高速な伝送速度であることを示す信号を受信した場合には、データ量の補正を行う制御信号を出力し、制御信号識別回路４００４からデータ量を補正する制御信号および伝送速度の設定値およびデータ量の設定値が入力され、送信側で行った補正と逆の補正を行い正しいデータ量の設定値を出力する補正値識別回路４００７と、補正値識別回路４００７の出力信号が入力された場合には、この値を用いて受信パケットのデータ量情報の識別を行うデータ量識別回路４００５とを備えたところにある。
【００８３】
次に、第四実施例のパケット信号受信回路の動作を説明する。復調回路４００１では、受信信号Ｓ４００１を受信して復調信号Ｓ４００２を出力する。入出力信号制御回路４００２では、復調信号Ｓ４００２に対してデータ信号Ｓ４００３と制御情報Ｓ４００４に入出力を制御する。データ部復調回路４００３では、データ信号Ｓ４００３に対してデータの復調が行われ復調信号Ｓ４０１５が得られる。
【００８４】
一方、制御信号識別回路４００４では、伝送速度の設定信号Ｓ４００６とデータ量の設定信号Ｓ４００５を出力され、新規システムの信号を識別した場合には、補正を行なうことを指示する制御信号Ｓ４０１０を出力する。伝送速度識別回路４００６では、伝送速度の識別が行われ伝送速度情報Ｓ４００８が得られる。補正値識別回路４００７には、伝送速度の設定信号Ｓ４００６とデータ量の設定信号Ｓ４００５が入力され、制御信号Ｓ４０１０が入力された場合には、送信側と逆の補正をデータ量の設定信号に行ない、補正後のデータ量の設定信号Ｓ４００９を出力する。また、データ量識別回路４００５では、補正後のデータ量の設定信号Ｓ４００９が入力された場合には、この値を用いて補正後データ量情報Ｓ４００７を出力し、補正後のデータ量の設定信号Ｓ４００９が入力されない場合には補正は行なわれないためデータ量の設定信号Ｓ４００５を用いて補正後データ量情報Ｓ４００７を出力する。
【００８５】
また、データ量識別回路４００８では、送信側でデータ量の補正が行なわれていない真のデータ量の設定信号Ｓ４０１２に対してデータ量の識別が行なわれデータ量情報Ｓ４０１１が得られる。
【００８６】
第四実施例では、送信側から送信された補正を加える前の真のデータ量の設定値も判断可能である。
【００８７】
（第五実施例）
第五実施例のパケット信号受信回路を図５を参照して説明する（請求項５に対応）。第五実施例のパケット信号受信回路は、図５に示すように、受信パケット信号が入力され受信パケット信号の復調を行う復調回路５００１と、復調回路５００１から出力される復調信号が入力され制御情報と復調データとの対応関係が保存されるように入出力順番の制御が行われる入出力信号制御回路５００２と、入出力信号制御回路５００２から出力される復調パケットのデータ識別を行うデータ部識別回路５００３と、入出力信号制御回路５００２から別途出力される制御情報が入力され当該制御情報の識別を行う制御信号識別回路５００４と、制御信号識別回路５００４から出力されるデータ量の設定値が入力されデータ量情報を識別して出力するデータ量識別回路５００５と、制御信号識別回路５００４から別途出力される伝送速度の設定値が入力され、伝送速度情報を出力する伝送速度識別回路５００６とを有するパケット信号受信回路である。
【００８８】
ここで、第五実施例の特徴とするところは、復調回路５００１は、従来設定されていた以上の高速な伝送速度であることを示す信号を受信した場合には、データ量の補正を行う制御信号を出力し、復調回路５００１からデータ量を補正する制御信号が入力され、制御信号識別回路５００４から伝送速度の設定値およびデータ量の設定値が入力され、送信側で行った補正と逆の補正を行い正しいデータ量の設定値を出力する補正値識別回路５００７を備え、データ量識別回路５００５は、補正値識別回路５００７の出力信号が入力された場合には、この値を用いて受信パケットのデータ量情報の識別を行うところにある。
【００８９】
次に、第五実施例のパケット信号受信回路の動作を説明する。復調回路５００１では、受信信号Ｓ５００１を受信して復調信号Ｓ５００２を出力し、新規システムの信号である特徴量を検出した場合には、補正を行なうことを指示する制御信号Ｓ５０１０を出力する。入出力信号制御回路５００２では、復調信号Ｓ５００２に対してデータ信号Ｓ５００３と制御情報Ｓ５００４に入出力を制御する。データ部復調回路５００３では、データ信号Ｓ５００３に対してデータの復調が行われ復調信号Ｓ５０１５が得られる。
【００９０】
一方、制御信号識別回路５００４では、伝送速度の設定信号Ｓ５００６とデータ量の設定信号Ｓ５００５が出力される。伝送速度識別回路５００６では、伝送速度の識別が行われ伝送速度情報Ｓ５００８が得られる。補正値識別回路５００７には、伝送速度の設定信号Ｓ５００６とデータ量の設定信号Ｓ５００５が入力され、制御信号Ｓ５０１０が入力された場合には、送信側と逆の補正をデータ量の設定信号に行ない、補正後のデータ量の設定信号Ｓ５００９を出力する。また、データ量識別回路５００５では、補正後のデータ量の設定信号Ｓ５００９が入力された場合には、この値を用いて補正後データ量情報Ｓ５００７を出力し、補正後のデータ量の設定信号Ｓ５００９が入力されない場合には補正は行なわれないためデータ量の設定信号Ｓ５００５を用いて補正後データ量情報Ｓ５００７を出力する。
【００９１】
（第六実施例）
第六実施例のパケット信号受信回路を図６を参照して説明する（請求項６に対応）。第六実施例のパケット信号受信回路は、図６に示すように、受信パケット信号が入力され受信パケット信号の復調を行う復調回路６００１と、復調回路６００１から出力される復調信号が入力され制御情報と復調データとの対応関係が保存されるように入出力順番の制御が行われる入出力信号制御回路６００２と、入出力信号制御回路６００２から出力される復調パケットのデータ識別を行うデータ部識別回路６００３と、入出力信号制御回路６００２から別途出力される制御情報が入力され当該制御情報の識別を行う制御信号識別回路６００４と、制御信号識別回路６００４から出力されるデータ量の設定値が入力されデータ量情報を識別して出力するデータ量識別回路６００８と、制御信号識別回路６００４から別途出力される伝送速度の設定値が入力され、伝送速度情報を出力する伝送速度識別回路６００６とを有するパケット信号受信回路である。
【００９２】
ここで、第六実施例の特徴とするところは、復調回路６００１は、従来設定されていた以上の高速な伝送速度であることを示す信号を受信した場合には、データ量の補正を行う制御信号を出力し、復調回路６００１からデータ量を補正する制御信号が入力され、制御信号識別回路６００４から伝送速度の設定値およびデータ量の設定値が入力され、送信側で行った補正と逆の補正を行い正しいデータ量の設定値を出力する補正値識別回路６００７と、補正値識別回路６００７の出力信号が入力された場合には、この値を用いて受信パケットのデータ量情報の識別を行うデータ量識別回路６００５とを備えたところにある。
【００９３】
次に、第六実施例のパケット信号受信回路の動作を説明する。復調回路６００１では、受信信号Ｓ６００１を受信して復調信号Ｓ６００２を出力し、新規システムの信号である特徴量を検出した場合には、補正を行なうことを指示する制御信号Ｓ６０１０を出力する。入出力信号制御回路６００２では、復調信号Ｓ６００２に対してデータ信号Ｓ６００３と制御情報Ｓ６００４に入出力を制御する。データ部識別回路６００３では、データ信号Ｓ６００３に対してデータの復調が行われ復調信号Ｓ６０１５が得られる。
【００９４】
一方、制御信号識別回路６００４では、伝送速度の設定信号Ｓ６００６とデータ量の設定信号Ｓ６００５が出力される。伝送速度識別回路６００６では、伝送速度の識別が行われ伝送速度情報Ｓ６００８が得られる。補正値識別回路６００７には、伝送速度の設定信号Ｓ６００６とデータ量の設定信号Ｓ６００５が入力され、制御信号Ｓ６０１０が入力された場合には、送信側と逆の補正をデータ量の設定信号に行ない、補正後のデータ量の設定信号Ｓ６００９を出力する。また、データ量識別回路６００５では、補正後のデータ量の設定信号Ｓ６００９が入力された場合には、この値を用いて補正後データ量情報Ｓ６００７を出力し、補正後のデータ量の設定信号Ｓ６００９が入力されない場合には補正は行なわれないためデータ量の設定信号Ｓ６００５を用いて補正後データ量情報Ｓ６００７を出力する。また、データ量識別回路６００８では、送信側でデータ量の補正が行なわれていない真のデータ量の設定信号Ｓ６０１２に対してデータ量の識別が行なわれデータ量情報Ｓ６０１１が得られる。
【００９５】
第六実施例では、送信側から送信された補正を加える前の真のデータ量の設定値も判断可能である。
【００９６】
（第七実施例）
第七実施例のパケット信号受信回路を図７を参照して説明する（請求項７に対応）。第七実施例のパケット信号受信回路は、図７に示すように、受信パケット信号が入力され受信パケット信号の復調を行う復調回路７００１と、復調回路７００１から出力される復調信号が入力され制御情報と復調データとの対応関係が保存されるように入出力順番の制御が行われる入出力信号制御回路７００２と、入出力信号制御回路７００２から出力される復調パケットのデータ識別を行うデータ部識別回路７００３と、入出力信号制御回路７００２から別途出力される制御情報が入力され当該制御情報の識別を行う制御信号識別回路７００４と、制御信号識別回路７００４から出力されるデータ量の設定値が入力されデータ量情報を識別して出力するデータ量識別回路７００５と、制御信号識別回路７００４から別途出力される伝送速度の設定値が入力され、伝送速度情報を出力する伝送速度識別回路７００６とを有するパケット信号受信回路である。
【００９７】
ここで、第七実施例の特徴とするところは、制御信号識別回路７００４は、従来設定されていた以上の高速な伝送速度であることを示す信号を受信した場合には、データ量の補正を行う第一の制御信号Ｓ７０１０を出力し、復調回路７００１は、従来設定されていた以上の高速な伝送速度であることを示す信号を受信した場合には、データ量の補正を行う第二の制御信号Ｓ７０１６を出力し、制御信号識別回路７００４からデータ量を補正する第一の制御信号Ｓ７０１０および伝送速度の設定値およびデータ量の設定値が入力され、別途、復調回路７００１からデータ量を補正する第二の制御信号Ｓ７０１６が入力され、これらの信号を用いて送信側で行った補正と逆の補正を行い正しいデータ量の設定値を出力する補正値識別回路７００７を備え、データ量識別回路７００５は、補正値識別回路７００７の出力信号が入力された場合には、この値を用いて受信パケットのデータ量情報の識別を行うところにある。
【００９８】
次に、第七実施例のパケット信号受信回路の動作を説明する。復調回路７００１では、受信信号Ｓ７００１を受信して復調信号Ｓ７００２を出力し、新規システムの信号である特徴量を検出した場合には、補正を行なうことを指示する制御信号Ｓ７０１６を出力する。入出力信号制御回路７００２では、復調信号Ｓ７００２に対してデータ信号Ｓ７００３と制御情報Ｓ７００４に入出力を制御する。データ部識別回路７００３では、データ信号Ｓ７００３に対してデータの復調が行われ復調信号Ｓ７０１５が得られる。
【００９９】
一方、制御信号識別回路７００４では、伝送速度の設定信号Ｓ７００６とデータ量の設定信号Ｓ７００５が出力され、新規システムの信号を識別した場合には、補正を行なうことを指示する制御信号Ｓ７０１０を出力する。伝送速度識別回路７００６では、伝送速度の識別が行われ伝送速度情報Ｓ７００８が得られる。補正値識別回路７００７には、伝送速度の設定信号Ｓ７００６とデータ量の設定信号Ｓ７００５が入力され、制御信号Ｓ７０１０およびＳ７０１６が入力された場合には、送信側と逆の補正をデータ量の設定信号に行ない、補正後のデータ量の設定信号Ｓ７００９を出力する。また、データ量識別回路７００５では、補正後のデータ量の設定信号Ｓ７００９が入力された場合には、この値を用いて補正後データ量情報Ｓ７００７を出力し、補正後のデータ量の設定信号Ｓ７００９が入力されない場合には補正は行なわれないためデータ量の設定信号Ｓ７００５を用いて補正後データ量情報Ｓ７００７を出力する。
【０１００】
これにより、制御信号Ｓ７０１０およびＳ７０１６の両方が揃うことにより新規システムでの伝送速度が定義される信号形式に対応することができる。
【０１０１】
（第八実施例）
第八実施例のパケット信号受信回路を図８を参照して説明する（請求項８に対応）。第八実施例は、図８に示すように、受信パケット信号が入力され受信パケット信号の復調を行う復調回路８００１と、復調回路８００１から出力される復調信号が入力され制御情報と復調データとの対応関係が保存されるように入出力順番の制御が行われる入出力信号制御回路８００２と、入出力信号制御回路８００２から出力される復調パケットのデータ識別を行うデータ部識別回路８００３と、入出力信号制御回路８００２から別途出力される制御情報が入力され当該制御情報の識別を行う制御信号識別回路８００４と、制御信号識別回路８００４から出力されるデータ量の設定値が入力されデータ量情報を識別して出力するデータ量識別回路８００８と、制御信号識別回路８００４から別途出力される伝送速度の設定値が入力され、伝送速度情報を出力する伝送速度識別回路８００６とを有するパケット信号受信回路である。
【０１０２】
ここで、第八実施例の特徴とするところは、制御信号識別回路８００４は、従来設定されていた以上の高速な伝送速度であることを示す信号を受信した場合には、データ量の補正を行う第一の制御信号Ｓ８０１０を出力し、復調回路８００１は、従来設定されていた以上の高速な伝送速度であることを示す信号を受信した場合には、データ量の補正を行う第二の制御信号Ｓ８０１６を出力し、制御信号識別回路８００４からデータ量を補正する第一の制御信号Ｓ８０１０および伝送速度の設定値およびデータ量の設定値が入力され、別途、復調回路８００１からデータ量を補正する第二の制御信号Ｓ８０１６が入力され、これらの信号を用いて送信側で行った補正と逆の補正を行い正しいデータ量の設定値を出力する補正値識別回路８００７と、補正値識別回路８００７の出力信号が入力された場合には、この値を用いて受信パケットのデータ量情報の識別を行うデータ量識別回路８００５とを備えたところにある。
【０１０３】
次に、第八実施例のパケット信号受信回路の動作を説明する。復調回路８００１では、受信信号Ｓ８００１を受信して復調信号Ｓ８００２を出力し、新規システムの信号である特徴量を検出した場合には、補正を行なうことを指示する制御信号Ｓ８０１６を出力する。入出力信号制御回路８００２では、復調信号Ｓ８００２に対してデータ信号Ｓ８００３と制御情報Ｓ８００４とに入出力を制御する。データ部復調回路８００３では、データ信号Ｓ８００３に対してデータの復調が行われ復調信号Ｓ８０１５が得られる。
【０１０４】
一方、制御信号識別回路８００４では、伝送速度の設定信号Ｓ８００６とデータ量の設定信号Ｓ８００５が出力し、新規システムの信号を識別した場合には、補正を行なうことを指示する制御信号Ｓ８０１０を出力する。伝送速度識別回路８００６では、伝送速度の識別が行われ伝送速度情報Ｓ８００８が得られる。補正値識別回路８００７には、伝送速度の設定信号Ｓ８００６とデータ量の設定信号Ｓ８００５が入力され、制御信号Ｓ８０１０およびＳ８０１６が入力された場合には、送信側と逆の補正をデータ量の設定信号に行ない、補正後のデータ量の設定信号Ｓ８００９を出力する。また、データ量識別回路８００５では、補正後のデータ量の設定信号Ｓ８００９が入力された場合には、この値を用いて補正後データ量情報Ｓ８００７を出力し、補正後のデータ量の設定信号Ｓ８００９が入力されない場合には補正は行なわれないためデータ量の設定信号Ｓ８００５を用いて補正後データ量情報Ｓ８００７を出力する。また、データ量識別回路８００８では、送信側でデータ量の補正が行なわれていない真のデータ量の設定信号Ｓ８０１２に対してデータ量の識別が行なわれデータ量情報Ｓ８０１１が得られる。
【０１０５】
これにより、制御信号Ｓ８０１０およびＳ８０１６の両方が揃うことにより新規システムでの伝送速度が定義される信号形式に対応することができる。第八実施例は、送信側から送信された補正を加える前の真のデータ量の設定も判断可能である。
【０１０６】
（第九実施例）
第九実施例のパケット信号受信回路を図７を参照して説明する（請求項９に対応）。第九実施例のパケット信号受信回路は、図７に示すように、受信パケット信号が入力され受信パケット信号の復調を行う復調回路７００１と、復調回路７００１から出力される復調信号が入力され制御情報と復調データとの対応関係が保存されるように入出力順番の制御が行われる入出力信号制御回路７００２と、入出力信号制御回路７００２から出力される復調パケットのデータ識別を行うデータ部識別回路７００３と、入出力信号制御回路７００２から別途出力される制御情報が入力され当該制御情報の識別を行う制御信号識別回路７００４と、制御信号識別回路７００４から出力されるデータ量の設定値が入力されデータ量情報を識別して出力するデータ量識別回路７００５と、制御信号識別回路７００４から別途出力される伝送速度の設定値が入力され、伝送速度情報を出力する伝送速度識別回路７００６とを有するパケット信号受信回路である。
【０１０７】
ここで、第七実施例の特徴とするところは、制御信号識別回路７００４は、従来設定されていた以上の高速な伝送速度であることを示す信号を受信した場合には、データ量の補正を行う第一の制御信号Ｓ７０１０を出力し、復調回路７００１は、従来設定されていた以上の高速な伝送速度であることを示す信号を受信した場合には、データ量の補正を行う第二の制御信号Ｓ７０１６を出力し、制御信号識別回路７００４からデータ量を補正する第一の制御信号Ｓ７０１０および伝送速度の設定値およびデータ量の設定値が入力され、別途、復調回路７００１からデータ量を補正する第二の制御信号Ｓ７０１６が入力され、少なくとも制御信号Ｓ７０１０またはＳ７０１６のいずれかを用いて送信側で行った補正と逆の補正を行い正しいデータ量の設定値を出力する補正値識別回路７００７を備え、データ量識別回路７００５は、補正値識別回路７００７の出力信号が入力された場合には、この値を用いて受信パケットのデータ量情報の識別を行うところにある。
【０１０８】
次に、第七実施例のパケット信号受信回路の動作を説明する。復調回路７００１では、受信信号Ｓ７００１を受信して復調信号Ｓ７００２を出力し、新規システムの信号である特徴量を検出した場合には、補正を行なうことを指示する制御信号Ｓ７０１６を出力する。入出力信号制御回路７００２では、復調信号Ｓ７００２に対してデータ信号Ｓ７００３と制御情報Ｓ７００４に入出力を制御する。データ部復調回路７００３では、データ信号Ｓ７００３に対してデータの復調が行われ復調信号Ｓ７０１５が得られる。
【０１０９】
一方、制御信号識別回路７００４では、伝送速度の設定信号Ｓ７００６とデータ量の設定信号Ｓ７００５が出力され、新規システムの信号を識別した場合には、補正を行なうことを指示する制御信号Ｓ７０１０を出力する。伝送速度識別回路７００６では、伝送速度の識別が行われ伝送速度情報Ｓ７００８が得られる。補正値識別回路７００７には、伝送速度の設定信号Ｓ７００６とデータ量の設定信号Ｓ７００５が入力され、少なくとも制御信号Ｓ７０１０またはＳ７０１６が入力された場合には、送信側と逆の補正をデータ量の設定信号に行ない、補正後のデータ量の設定信号Ｓ７００９を出力する。また、データ量識別回路７００５では、補正後のデータ量の設定信号Ｓ７００９が入力された場合には、この値を用いて補正後データ量情報Ｓ７００７を出力し、補正後のデータ量の設定信号Ｓ７００９が入力されない場合には補正は行なわれないためデータ量の設定信号Ｓ７００５を用いて補正後データ量情報Ｓ７００７を出力する。
【０１１０】
これにより、制御信号識別回路７００４により新規システムの信号が識別される信号形式と、復調回路７００１により新規システムの信号が識別される信号形式とが混在している場合に、少なくとも制御信号Ｓ７０１０またはＳ７０１６のいずれかをトリガーとして補正値識別回路７００７が送信側と逆の補正を行うことができるので、多様な信号形式の混在に対応することができる。
【０１１１】
（第十実施例）
第十実施例のパケット信号受信回路を図８を参照して説明する（請求項１０に対応）。第十実施例は、図８に示すように、受信パケット信号が入力され受信パケット信号の復調を行う復調回路８００１と、復調回路８００１から出力される復調信号が入力され制御情報と復調データとの対応関係が保存されるように入出力順番の制御が行われる入出力信号制御回路８００２と、入出力信号制御回路８００２から出力される復調パケットのデータ識別を行うデータ部識別回路８００３と、入出力信号制御回路８００２から別途出力される制御情報が入力され当該制御情報の識別を行う制御信号識別回路８００４と、制御信号識別回路８００４から出力されるデータ量の設定値が入力されデータ量情報を識別して出力するデータ量識別回路８００８と、制御信号識別回路８００４から別途出力される伝送速度の設定値が入力され、伝送速度情報を出力する伝送速度識別回路８００６とを有するパケット信号受信回路である。
【０１１２】
ここで、第八実施例の特徴とするところは、制御信号識別回路８００４は、従来設定されていた以上の高速な伝送速度であることを示す信号を受信した場合には、データ量の補正を行う第一の制御信号Ｓ８０１０を出力し、復調回路８００１は、従来設定されていた以上の高速な伝送速度であることを示す信号を受信した場合には、データ量の補正を行う第二の制御信号Ｓ８０１６を出力し、制御信号識別回路８００４からデータ量を補正する第一の制御信号Ｓ８０１０および伝送速度の設定値およびデータ量の設定値が入力され、別途、復調回路８００１からデータ量を補正する第二の制御信号Ｓ８０１６が入力され、少なくとも制御信号Ｓ８０１０またはＳ８０１６のいずれかを用いて送信側で行った補正と逆の補正を行い正しいデータ量の設定値を出力する補正値識別回路８００７と、補正値識別回路８００７の出力信号が入力された場合には、この値を用いて受信パケットのデータ量情報の識別を行うデータ量識別回路８００５とを備えたところにある。
【０１１３】
次に、第八実施例のパケット信号受信回路の動作を説明する。復調回路８００１では、受信信号Ｓ８００１を受信して復調信号Ｓ８００２を出力し、新規システムの信号である特徴量を検出した場合には、補正を行なうことを指示する制御信号Ｓ８０１６を出力する。入出力信号制御回路８００２では、復調信号Ｓ８００２に対してデータ信号Ｓ８００３と制御情報Ｓ８００４とに入出力を制御する。データ部復調回路８００３では、データ信号Ｓ８００３に対してデータの復調が行われ復調信号Ｓ８０１５が得られる。
【０１１４】
一方、制御信号識別回路８００４では、伝送速度の設定信号Ｓ８００６とデータ量の設定信号Ｓ８００５が出力し、新規システムの信号を識別した場合には、補正を行なうことを指示する制御信号Ｓ８０１０を出力する。伝送速度識別回路８００６では、伝送速度の識別が行われ伝送速度情報Ｓ８００８が得られる。補正値識別回路８００７には、伝送速度の設定信号Ｓ８００６とデータ量の設定信号Ｓ８００５が入力され、少なくとも制御信号Ｓ８０１０またはＳ８０１６のいずれかが入力された場合には、送信側と逆の補正をデータ量の設定信号に行ない、補正後のデータ量の設定信号Ｓ８００９を出力する。また、データ量識別回路８００５では、補正後のデータ量の設定信号Ｓ８００９が入力された場合には、この値を用いて補正後データ量情報Ｓ８００７を出力し、補正後のデータ量の設定信号Ｓ８００９が入力されない場合には補正は行なわれないためデータ量の設定信号Ｓ８００５を用いて補正後データ量情報Ｓ８００７を出力する。また、データ量識別回路８００８では、送信側でデータ量の補正が行なわれていない真のデータ量の設定信号Ｓ８０１２に対してデータ量の識別が行なわれデータ量情報Ｓ８０１１が得られる。
【０１１５】
これにより、制御信号識別回路８００４により新規システムの信号が識別される信号形式と、復調回路８００１により新規システムの信号が識別される信号形式とが混在している場合に、少なくとも制御信号Ｓ８０１０またはＳ８０１６のいずれかをトリガーとして補正値識別回路８００７が送信側と逆の補正を行うことができるので、多様な信号形式の混在に対応することができる。また、第八実施例は、送信側から送信された補正を加える前の真のデータ量の設定も判断可能である。
【０１１６】
【発明の効果】
以上説明したように、本発明によれば、新規システムと既存システムが混在して利用される場合に、バックワードコンパチビィリティを確保しつつ、新規システムからのパケット信号を受信した既存システムの復調器が実際のパケットが送信されている時間を適切に判断することを可能にするパケット信号送信回路および受信回路を提供することが可能になる。
【図面の簡単な説明】
【図１】第一実施例のパケット信号送信回路のブロック図。
【図２】第二実施例のパケット信号送信回路のブロック図。
【図３】第三実施例のパケット信号受信回路のブロック図。
【図４】第四実施例のパケット信号受信回路のブロック図。
【図５】第五実施例のパケット信号受信回路のブロック図。
【図６】第六実施例のパケット信号受信回路のブロック図。
【図７】第七および第九実施例のパケット信号受信回路のブロック図。
【図８】第八および第十実施例のパケット信号受信回路のブロック図。
【図９】本発明の概要に関する説明図。
【図１０】ＩＥＥＥ８０２．１１ａの制御情報の説明図。
【図１１】帯域拡大システムと従来システムのパケットフォーマットに関する説明図。
【図１２】帯域拡大システムと従来システムの周波数配置に関する説明図。
【図１３】ＳＤＭシステムと従来システムのパケットフォーマットに関する説明図。
【図１４】ＳＤＭシステムと従来システムの周波数配置に関する説明図。
【図１５】従来のパケットフォーマットに関する説明図。
【図１６】従来のパケット信号送信回路の構成を示したブロック図。
【図１７】従来のパケット信号受信回路の構成を示したブロック図。
【符号の説明】
１、１０１、２０１  データ部生成回路
２、１０２、２０２  入出力信号制御回路
３、１０３、２０３  変調回路
４、１０４、２０４  伝送速度設定回路
５、１０５、２０５、２０８  データ量設定回路
６、１０６、２０６  制御信号設定回路
１０７、２０７  補正値設定回路
Ｓ１、Ｓ１０１、Ｓ２０１  入力データ信号
Ｓ２、Ｓ１０２、Ｓ２０２  データ信号
Ｓ３、Ｓ１０３、Ｓ２０３  送信信号
Ｓ４、Ｓ１０４、Ｓ１０９、Ｓ２０４、Ｓ２０９  伝送速度情報
Ｓ５、Ｓ１０５、Ｓ２０５  伝送速度の設定信号
Ｓ６、Ｓ１０６、Ｓ２０６  データ量情報
Ｓ７、Ｓ１０７、Ｓ２０７  データ量の設定信号
Ｓ８、Ｓ１０８、Ｓ２０８、Ｓ１００４、Ｓ３００４、Ｓ４００４、Ｓ５００４、Ｓ６００４、Ｓ７００４、Ｓ８００４  制御情報
Ｓ１１０、Ｓ２１０  補正データ量信号
１００１、３００１、４００１、５００１、６００１、７００１、８００１  復調回路
１００２、３００２、４００２、５００２、６００２、７００２、８００２  入出力信号制御回路
１００３、３００３、４００３、５００３、６００３、７００３、８００３  データ部識別回路
１００４、３００４、４００４、５００４、６００４、７００４、８００４  制御信号識別回路
１００５、３００５、４００５、４００８、５００５、６００５、６００８、７００５、８００５、８００８  データ量識別回路
１００６、３００６、４００６、５００６、６００６、７００６、８００６  伝送速度識別回路
３００７、４００７、５００７、６００７、７００７、８００７  補正値識別回路
Ｓ１００１、Ｓ３００１、Ｓ４００１、Ｓ５００１、Ｓ６００１、Ｓ７００１、Ｓ８００１  受信信号
Ｓ１００２、Ｓ３００２、Ｓ４００２、Ｓ５００２、Ｓ６００２、Ｓ７００２、Ｓ８００２  復調信号
Ｓ１００３、Ｓ３００３、Ｓ４００３、Ｓ５００３、Ｓ６００３、Ｓ７００３、Ｓ８００３  データ信号
Ｓ１００５、Ｓ３００５、Ｓ４００５、Ｓ５００５、Ｓ６００５、Ｓ７００５、Ｓ８００５  データ量の設定信号
Ｓ１００６、Ｓ３００６、Ｓ４００６、Ｓ５００６、Ｓ６００６、Ｓ７００６、Ｓ８００６  伝送速度の設定信号
Ｓ１００７、Ｓ３００７、Ｓ４００７、Ｓ５００７、Ｓ６００７、Ｓ７００７、Ｓ８００７  補正後データ量情報
Ｓ１００８、Ｓ３００８、Ｓ４００８、Ｓ５００８、Ｓ６００８、Ｓ７００８、Ｓ８００８  伝送速度情報
Ｓ３００９、Ｓ４００９、Ｓ５００９、Ｓ６００９、Ｓ７００９、Ｓ８００９  補正後のデータ量の設定信号
Ｓ３０１０、Ｓ４０１０、Ｓ５０１０、Ｓ６０１０、Ｓ７０１０、Ｓ７０１６、Ｓ８０１０、Ｓ８０１６  制御信号
Ｓ３０１１、Ｓ４０１１、Ｓ５０１１、Ｓ６０１１、Ｓ７０１１、Ｓ８０１１  データ量情報
Ｓ２１１、Ｓ３０１２、Ｓ４０１２、Ｓ５０１２、Ｓ６０１２、Ｓ７０１２、Ｓ８０１２  真のデータ量の設定信号
Ｓ１００９、Ｓ３０１５、Ｓ４０１５、Ｓ５０１５、Ｓ６０１５、Ｓ７０１５、Ｓ８０１５  復調信号
【図１】
2004248186.tif 000003
【図２】
2004248186.tif 000004
【図３】
2004248186.tif 000005
【図４】
2004248186.tif 000006
【図５】
2004248186.tif 000007
【図６】
2004248186.tif 000008
【図７】
2004248186.tif 000009
【図８】
2004248186.tif 000010
【図９】
2004248186.tif 000011
【図１０】
2004248186.tif 000012
【図１１】
2004248186.tif 000013
【図１２】
2004248186.tif 000014
【図１３】
2004248186.tif 000015
【図１４】
2004248186.tif 000016
【図１５】
2004248186.tif 000017
【図１６】
2004248186.tif 000018
【図１７】
2004248186.tif 000019